(57)【要約】あるユーザ端末へ送信されるオーバヘッド量を低減することによって、無線通信システムにおけるスループットを増加させる方法および装置が提供される。制御情報によるオーバヘッドは、低い反復係数を選択することによって、これら特定のユーザ端末について低減されうる。制御情報を送信するために、より高いデータ・レートを持つ変調／符号化スキームを選択することによって、オーバヘッドは、これら特定のユーザ端末についてさらに低減されうる。この選択は、例えば信号対干渉および雑音比（ＳＩＮＲ）のような、ユーザ端末に関連付けられたチャネル条件に基づく。
2011525784.tif 000002
【特許請求の範囲】
【請求項１】
無線通信のための方法であって、
１または複数のユーザ端末のチャネル条件を判定することと、
さほど好ましくないチャネル条件を持つ第１のユーザ端末のための情報を、第１のフレームにおいて高ダウンリンクＭＡＰ（ＤＬ−ＭＡＰ）反復でスケジュールすることと、
より好ましいチャネル条件を持つ第２のユーザ端末のための情報を、第２のフレームにおいて低ＤＬ−ＭＡＰ反復でスケジュールすることと、
前記第１のフレームおよび前記第２のフレームを送信することと
を備える方法。
【請求項２】
前記第１のフレームにおける情報のために、低データ・レートを持つ第１の変調および符号化スキームを用いることと、
前記第２のフレームにおける情報のために、高データ・レートを持つ第２の変調および符号化スキームを用いることと
をさらに備える請求項１に記載の方法。
【請求項３】
前記第１の変調および符号化スキームは、１／２の符号化レートを持つ直交フェーズ・シフト・キーイング（ＱＰＳＫ）を備える請求項２に記載の方法。
【請求項４】
前記第２のフレームにおいて情報をスケジュールすることは、１である周波数再使用係数を使用することを備える請求項２に記載の方法。
【請求項５】
前記高ＤＬ−ＭＡＰ反復は、合計４回の反復（２である反復符号化インジケーション）であり、前記低ＤＬ−ＭＡＰ反復は、合計１回の反復（０である反復符号化インジケーション）である請求項１に記載の方法。
【請求項６】
さほど好ましくないチャネル条件は、より好ましいチャネル条件よりも低い信号対干渉および雑音比（ＳＩＮＲ）を有する請求項１に記載の方法。
【請求項７】
より好ましいチャネル条件を持つ第３のユーザ端末のための情報を、第３のフレームにおいて低ＤＬ−ＭＡＰ反復でスケジュールすることと、
４フレーム毎のうちの１つのフレームが、さほど好ましくないチャネル条件を持つユーザ端末に割り当てられるように、より好ましいチャネル条件を持つ第４のユーザ端末のための情報を、第４のフレームにおいて低ＤＬ−ＭＡＰ反復でスケジュールすることと
をさらに備える請求項１に記載の方法。
【請求項８】
無線通信のための装置であって、
１または複数のユーザ端末のチャネル条件を判定する手段と、
さほど好ましくないチャネル条件を持つ第１のユーザ端末のための情報を、第１のフレームにおいて高ダウンリンクＭＡＰ（ＤＬ−ＭＡＰ）反復でスケジュールする手段と、
より好ましいチャネル条件を持つ第２のユーザ端末のための情報を、第２のフレームにおいて低ＤＬ−ＭＡＰ反復でスケジュールする手段と、
前記第１のフレームおよび前記第２のフレームを送信する手段と
を備える装置。
【請求項９】
前記第１のフレームにおける情報のために、低データ・レートを持つ第１の変調および符号化スキームを用いる手段と、
前記第２のフレームにおける情報のために、高データ・レートを持つ第２の変調および符号化スキームを用いる手段と
をさらに備える請求項８に記載の装置。
【請求項１０】
前記第１の変調および符号化スキームは、１／２の符号化レートを持つ直交フェーズ・シフト・キーイング（ＱＰＳＫ）を備える請求項９に記載の装置。
【請求項１１】
前記第２のフレームにおいて情報をスケジュールする手段は、１である周波数再使用係数を使用するように構成された請求項９に記載の装置。
【請求項１２】
前記高ＤＬ−ＭＡＰ反復は、合計４回の反復（２である反復符号化インジケーション）であり、前記低ＤＬ−ＭＡＰ反復は、合計１回の反復（０である反復符号化インジケーション）である請求項８に記載の装置。
【請求項１３】
さほど好ましくないチャネル条件は、より好ましいチャネル条件よりも低い信号対干渉および雑音比（ＳＩＮＲ）を有する請求項８に記載の装置。
【請求項１４】
より好ましいチャネル条件を持つ第３のユーザ端末のための情報を、第３のフレームにおいて低ＤＬ−ＭＡＰ反復でスケジュールする手段と、
４フレーム毎のうちの１つのフレームが、さほど好ましくないチャネル条件を持つユーザ端末に割り当てられるように、より好ましいチャネル条件を持つ第４のユーザ端末のための情報を、第４のフレームにおいて低ＤＬ−ＭＡＰ反復でスケジュールする手段と
をさらに備える請求項８に記載の装置。
【請求項１５】
無線通信のための装置であって、
１または複数のユーザ端末のチャネル条件を判定するためのロジックと、
さほど好ましくないチャネル条件を持つ第１のユーザ端末のための情報を、第１のフレームにおいて高ダウンリンクＭＡＰ（ＤＬ−ＭＡＰ）反復でスケジュールする手段と、
より好ましいチャネル条件を持つ第２のユーザ端末のための情報を、第２のフレームにおいて低ＤＬ−ＭＡＰ反復でスケジュールするためのロジックと、
前記第１のフレームおよび前記第２のフレームを送信する送信機と
を備える装置。
【請求項１６】
前記第１のフレームにおける情報のために、低データ・レートを持つ第１の変調および符号化スキームを用いるためのロジックと、
前記第２のフレームにおける情報のために、高データ・レートを持つ第２の変調および符号化スキームを用いるためのロジックと
をさらに備える請求項１５に記載の装置。
【請求項１７】
前記第１の変調および符号化スキームは、１／２の符号化レートを持つ直交フェーズ・シフト・キーイング（ＱＰＳＫ）を備える請求項１６に記載の装置。
【請求項１８】
前記第２のフレームにおいて情報をスケジュールするためのロジックは、１である周波数再使用係数を使用するように構成された請求項１６に記載の装置。
【請求項１９】
前記高ＤＬ−ＭＡＰ反復は、合計４回の反復（２である反復符号化インジケーション）であり、前記低ＤＬ−ＭＡＰ反復は、合計１回の反復（０である反復符号化インジケーション）である請求項１５に記載の装置。
【請求項２０】
さほど好ましくないチャネル条件は、より好ましいチャネル条件よりも低い信号対干渉および雑音比（ＳＩＮＲ）を有する請求項１５に記載の装置。
【請求項２１】
より好ましいチャネル条件を持つ第３のユーザ端末のための情報を、第３のフレームにおいて低ＤＬ−ＭＡＰ反復でスケジュールするためのロジックと、
４フレーム毎のうちの１つのフレームが、さほど好ましくないチャネル条件を持つユーザ端末に割り当てられるように、より好ましいチャネル条件を持つ第４のユーザ端末のための情報を、第４のフレームにおいて低ＤＬ−ＭＡＰ反復でスケジュールするためのロジックと
をさらに備える請求項１５に記載の装置。
【請求項２２】
無線通信のためのコンピュータ・プログラム製品であって、前記コンピュータ・プログラム製品は、格納された命令群を有するコンピュータ読取可能媒体を備え、前記命令群は、１または複数のプロセッサによって実行可能であり、前記命令群は、
１または複数のユーザ端末のチャネル条件を判定するための命令群と、
さほど好ましくないチャネル条件を持つ第１のユーザ端末のための情報を、第１のフレームにおいて高ダウンリンクＭＡＰ（ＤＬ−ＭＡＰ）反復でスケジュールするための命令群と、
より好ましいチャネル条件を持つ第２のユーザ端末のための情報を、第２のフレームにおいて低ＤＬ−ＭＡＰ反復でスケジュールするための命令群と、
前記第１のフレームおよび前記第２のフレームを送信するための命令群と
を備えるコンピュータ・プログラム製品。
【請求項２３】
前記第１のフレームにおける情報のために、低データ・レートを持つ第１の変調および符号化スキームを用いるための命令群と、
前記第２のフレームにおける情報のために、高データ・レートを持つ第２の変調および符号化スキームを用いるための命令群と
をさらに備える請求項２２に記載のコンピュータ・プログラム製品。
【請求項２４】
前記第１の変調および符号化スキームは、１／２の符号化レートを持つ直交フェーズ・シフト・キーイング（ＱＰＳＫ）を備える請求項２３に記載のコンピュータ・プログラム製品。
【請求項２５】
前記第２のフレームにおいて情報をスケジュールするための命令群は、１である周波数再使用係数を使用するための命令群を備える請求項２３に記載のコンピュータ・プログラム製品。
【請求項２６】
前記高ＤＬ−ＭＡＰ反復は、合計４回の反復（２である反復符号化インジケーション）であり、前記低ＤＬ−ＭＡＰ反復は、合計１回の反復（０である反復符号化インジケーション）である請求項２２に記載のコンピュータ・プログラム製品。
【請求項２７】
前記さほど好ましくないチャネル条件は、前記より好ましいチャネル条件よりも低い信号対干渉および雑音比（ＳＩＮＲ）を有する請求項２２に記載のコンピュータ・プログラム製品。
【請求項２８】
より好ましいチャネル条件を持つ第３のユーザ端末のための情報を、第３のフレームにおいて低ＤＬ−ＭＡＰ反復でスケジュールするための命令群と、
４フレーム毎のうちの１つのフレームが、さほど好ましくないチャネル条件を持つユーザ端末に割り当てられるように、より好ましいチャネル条件を持つ第４のユーザ端末のための情報を、第４のフレームにおいて低ＤＬ−ＭＡＰ反復でスケジュールするための命令群と
をさらに備える請求項２２に記載のコンピュータ・プログラム製品。
【発明の詳細な説明】
【優先権の主張】
【０００１】
本願は、２００８年６月２４日に出願され“Ｍｅｔｈｏｄｓ  ａｎｄ  Ｓｙｓｔｅｍｓ  ｆｏｒ  Ｏｖｅｒｈｅａｄ  Ｒｅｄｕｃｔｉｏｎ  ｉｎ  ａ  Ｗｉｒｅｌｅｓｓ  Ｃｏｍｍｕｎｉｃａｔｉｏｎ  Ｎｅｔｗｏｒｋ”と題され本願の譲受人に譲渡されすべての目的のために本明細書に参照によって完全に組み込まれている米国仮出願６１／０７５，３１５号の優先権の利益を主張する。
【技術分野】
【０００２】
本開示のある実施形態は、一般に、無線通信に関し、さらに詳しくは、無線通信ネットワークにおけるオーバヘッド低減に関する。
【発明の概要】
【０００３】
本開示のある実施形態は、一般に、無線通信ネットワークにおける全体的なオーバヘッドを低減することに関する。
【０００４】
本開示のある実施形態は、無線通信のための方法を提供する。この方法は一般に、１または複数のユーザ端末のチャネル条件を判定することと、さほど好ましくないチャネル条件を持つ第１のユーザ端末のための情報を、第１のフレームにおいて高ダウンリンクＭＡＰ（ＤＬ−ＭＡＰ）反復でスケジュールすることと、より好ましいチャネル条件を持つ第２のユーザ端末のための情報を、第２のフレームにおいて低ＤＬ−ＭＡＰ反復でスケジュールすることと、第１のフレームおよび第２のフレームを送信することとを含む。
【０００５】
本開示のある実施形態は、無線通信のための装置を提供する。この装置は、一般に、１または複数のユーザ端末のチャネル条件を判定する手段と、さほど好ましくないチャネル条件を持つ第１のユーザ端末のための情報を、第１のフレームにおいて高ＤＬ−ＭＡＰ反復でスケジュールする手段と、より好ましいチャネル条件を持つ第２のユーザ端末のための情報を、第２のフレームにおいて低ＤＬ−ＭＡＰ反復でスケジュールする手段と、第１のフレームおよび第２のフレームを送信する手段とを含む。
【０００６】
本開示のある実施形態は、無線通信のための装置を提供する。この装置は、一般に、１または複数のユーザ端末のチャネル条件を判定するためのロジックと、さほど好ましくないチャネル条件を持つ第１のユーザ端末のための情報を、第１のフレームにおいて高ＤＬ−ＭＡＰ反復でスケジュールする手段と、より好ましいチャネル条件を持つ第２のユーザ端末のための情報を、第２のフレームにおいて低ＤＬ−ＭＡＰ反復でスケジュールするためのロジックと、第１のフレームおよび第２のフレームを送信する送信機とを含む。
【０００７】
本開示のある実施形態は、無線通信のためのコンピュータ・プログラム製品を提供する。このコンピュータ・プログラム製品は、一般に、格納された命令群を有するコンピュータ読取可能媒体を含む。これら命令群は、１または複数のプロセッサによって実行されることが可能である。これら命令群は、一般に、１または複数のユーザ端末のチャネル条件を判定するための命令群と、さほど好ましくないチャネル条件を持つ第１のユーザ端末のための情報を、第１のフレームにおいて高ＤＬ−ＭＡＰ反復でスケジュールするための命令群と、より好ましいチャネル条件を持つ第２のユーザ端末のための情報を、第２のフレームにおいて低ＤＬ−ＭＡＰ反復でスケジュールするための命令群と、第１のフレームおよび第２のフレームを送信するための命令群とを含む。
【図面の簡単な説明】
【０００８】
本開示の上記した特徴を詳細に理解できる形式のために、上記要約されたより具体的な説明を、その一部が添付図面に示された実施形態を参照することによって行うことができる。しかし、添付図面は、本開示のある種の典型的な実施形態しか示しておらず、これら説明は、他の同等に効果的な実施形態をも可能にすることができ、本開示の範囲を限定するものとは考えられないことに留意されたい。
【図１】図１は、本開示のある種の実施形態にしたがう無線通信システムを例示する。
【図２】図２は、本開示のある種の実施形態にしたがって無線デバイス内で利用されうるさまざまな構成要素を例示する。
【図３】図３は、本開示のある実施形態にしたがって、直交周波数分割多重化および直交周波数分割多元接続（ＯＦＤＭ／ＯＦＤＭＡ）技術を利用する無線通信システムにおいて使用される送信機および受信機の例を示す。
【図４Ａ】図４Ａは、本開示のある実施形態にしたがう時分割デュプレクス（ＴＤＤ）のためのＯＦＤＭ／ＯＦＤＭＡフレームを例示する。
【図４Ｂ】図４Ｂは、本開示のある実施形態にしたがって、ＯＦＤＭ／ＯＦＤＭＡフレームに含まれ、ダウンリンク・フレーム・プレフィクス（ＤＬＦＰ）情報を含んでいるフレーム制御ヘッダ（ＦＣＨ）のフォーマットを例示する。
【図５】図５は、本開示のある実施形態にしたがう、ダウンリンク・マップ（ＤＬ−ＭＡＰ）情報によってなされるオーバヘッド低減のための動作例を示す。
【図５Ａ】図５Ａは、本開示のある実施形態にしたがう、図５の動作例に対応する手段のブロック図である。
【図６】図６は、本開示のある実施形態にしたがう、チャネル条件に基づくユーザ端末のグループ化を例示する。
【図７】図７は、本開示のある実施形態にしたがって、制御情報によるオーバヘッドを低減するためのフレーム割当の例を示す。
【発明を実施するための形態】
【０００９】
本開示の実施形態は、あるユーザ端末へ送信されるオーバヘッド量を低減することによって、無線通信システムにおけるスループットを増加させる技術を提供する。制御情報によるオーバヘッドは、低反復係数を選択することによって、これらユーザ端末について低減されうる。オーバヘッドは、制御情報を送信するために高データ・レートの変調／符号化スキームを選択することによって、これらユーザ端末に対してさらに低減されうる。この選択は、ユーザ端末に関連付けられた例えば信号対干渉および雑音比（ＳＩＮＲ）のようなチャネル条件に基づきうる。
【００１０】
ＩＥＥＥ  ８０２．１６下の直交周波数分割多重化（ＯＦＤＭ）および直交周波数分割多元接続（ＯＦＤＭＡ）による無線通信システムは、複数のサブキャリアの周波数の直交性に基づいて、これらシステム内のサービスのために登録された無線デバイス（すなわち、移動局）と通信するために、基地局のネットワークを使用し、例えばマルチパス・フェージングや干渉に対する抵抗性のような、広帯域無線通信のための多くの技術的な利点を達成するように実現される。各基地局（ＢＳ）は、移動局との間でデータを伝送するラジオ周波数（ＲＦ）信号を送信し、受信する。
【００１１】
ＯＦＤＭＡシステムおよびＯＦＤＭＡシステムのためのＩＥＥＥ  ８０２．１６規格の現行のバージョンの下では、基地局からのすべてのダウンリンク・サブフレームは、プリアンブル、プリアンブルに続くフレーム制御ヘッダ（ＦＣＨ）、およびオーバヘッド・ロードの一部としてＦＣＨに続くダウンリンク・マップ（ＤＬ−ＭＡＰ）を含んでいる。プリアンブルは、セルおよびセル内のセル・セクタを探索するための情報、および、時間と周波数との両方で移動局を受信ダウンリンク信号と同期させるための情報を含む。ダウンリンク・サブフレームのＦＣＨ部分は、ダウンリンク伝送フォーマットに関する情報（例えば、ＤＬ−ＭＡＰ）およびダウンリンク・データ受信のための制御情報（例えば、現在のダウンリンク・フレーム内のサブキャリアの割当て）を備えた２４ビットを含む。ＤＬ−ＭＡＰは、ＯＦＤＭ／ＯＦＤＭＡフレームでＤＬデータ・バーストが正しく復号されるように、ダウンリンク・データ領域割当およびバースト・プロファイル情報を指定する。第１のＤＬデータ・バーストは、一般に、フレーム毎ベースで、アップリンク送信のための類似の割当およびバースト・プロファイル情報を含むアップリンク・マップ（ＵＬ−ＭＡＰ）である。これは、制御オーバヘッドの一部とも見なされうる。
【００１２】
制御オーバヘッドは、ＯＦＤＭフレームまたはＯＦＤＭＡフレームにおける時間リソースと周波数リソースとの両方を消費し、基地局によってサポートされている同時ユーザ（例えば、移動局）の数とともに制御メッセージが増加する。これら時間リソースおよび周波数リソースは、フレーム毎ベースで制限されるので、制御オーバヘッドによってこれらリソースがより多く消費されることは、データ・トラフィックのためのリソースがより少なくなることを意味する。さらに、ほとんどの制御メッセージは、可能な限り多くの移動局によって高い信頼性で受信されるように、最低の符号化レートで符号化されているので、制御メッセージのサイズが若干増加することは、フレーム・リソースの消費が相当増えることにつながる。制御オーバヘッドの増加の結果、同時ユーザの数が増えると、移動局の最大データ・スループットが、指数関数的に減少するであろう。
【００１３】
（典型的な無線通信システム）  
本明細書に記載された技術は、直交多重化スキームに基づく通信システムを含むさまざまなブロードバンド無線通信システムのために使用される。そのような通信システムの例は、直交周波数分割多元接続（ＯＦＤＭＡ）システム、シングル・キャリア周波数分割多元接続（ＳＣ−ＦＤＭＡ）システム等を含んでいる。ＯＦＤＭＡシステムは、直交周波数分割多重化（ＯＦＤＭ）を利用する。それは、システム帯域幅全体を、複数の直交サブキャリアへ分割する変調技術である。これらサブキャリアはまた、トーン、ビン等とも称されうる。ＯＦＤＭでは、おのおののサブキャリアは、データと独立して変調される。ＳＣ−ＦＤＭＡシステムは、システム帯域幅にわたって分散されたサブキャリアで送信するインタリーブＦＤＭＡ（ＩＦＤＭＡ）、隣接サブキャリアのブロックで送信するローカライズドＦＤＭＡ（ＬＦＤＭＡ）、あるいは、隣接するサブキャリアの複数のブロックで送信するエンハンストＦＤＭＡ（ＥＦＤＭＡ）を利用する。一般に、変調シンボルは、ＯＦＤＭでは周波数領域で、ＳＣ−ＦＤＭＡでは時間領域で送信される。
【００１４】
直交多重化スキーム基づく通信システムの一例は、ＷｉＭＡＸシステムである。Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓを示すＷｉＭＡＸは、長距離にわたる高スループット・ブロードバンド接続を提供する規格ベースのブロードバンド無線技術である。現在、ＷｉＭＡＸの２つの主要なアプリケーションすなわち、固定ＷｉＭＡＸおよびモバイルＷｉＭＡＸがある。固定ＷｉＭＡＸアプリケーションは、ポイント・トゥ・マルチポイントであり、例えば家庭および会社へのブロードバンド接続を可能にする。モバイルＷｉＭＡＸは、ＯＦＤＭおよびＯＦＤＭＡに基づき、ブロードバンド速度でセルラ・ネットワークの完全なモビリティを提供する。
【００１５】
ＩＥＥＥ  ８０２．１６は、固定式およびモバイルのブロードバンド無線アクセス（ＢＷＡ）システム用のエア・インタフェースを定義するための新生の規格体系である。これら規格は少なくとも４つの異なる物理レイヤ（ＰＨＹ）および１つの媒体アクセス制御（ＭＡＣ）レイヤを定義する。４つの物理レイヤのうちのＯＦＤＭ物理レイヤおよびＯＦＤＭＡ物理レイヤは、それぞれ固定ＢＷＡ領域およびモバイルＢＷＡ領域で最も人気がある。
【００１６】
図１に、本開示の実施形態を使用できる無線通信システム１００の例を示す。この無線通信システム１００は、ブロードバンド無線通信システムとなりうる。無線通信システム１００は、それぞれが基地局１０４によってサービスされる複数のセル１０２に通信を提供することができる。基地局１０４は、ユーザ端末１０６と通信する固定局となりうる。基地局１０４は、代わりに、アクセス・ポイント、ノードＢ、またはその他いくつかの用語で称されうる。
【００１７】
図１は、システム１００全体に散在するさまざまなユーザ端末１０６を示す。ユーザ端末１０６は、固定式（すなわち、据え置き式）またはモバイルでありうる。ユーザ端末１０６を、代わりに、遠隔局、アクセス端末、端末、加入者ユニット、移動局、局、ユーザ機器等と称することができる。ユーザ端末１０６は、セルラ電話、携帯情報端末（ＰＤＡ）、ハンドヘルド・デバイス、無線モデム、ラップトップ・コンピュータ、パーソナル・コンピュータ等のような無線デバイスでありうる。
【００１８】
さまざまなアルゴリズムおよび方法を、無線通信システム１００内における基地局１０４とユーザ端末１０６との間の伝送に使用することができる。例えば、信号を、ＯＦＤＭ／ＯＦＤＭＡ技法に従って基地局１０４とユーザ端末１０６との間で送信し、受信することができる。この場合、無線通信システム１００を、ＯＦＤＭ／ＯＦＤＭＡシステムと称することができる。
【００１９】
基地局１０４からユーザ端末１０６への伝送を容易にする通信リンクは、ダウンリンク１０８と称され、ユーザ端末１０６から基地局１０４への伝送を容易にする通信リンクは、アップリンク１１０と称されうる。あるいは、ダウンリンク１０８を、順方向リンクまたは順方向チャネルと称したり、アップリンク１１０を、逆方向リンクまたは逆方向チャネルと称する場合がある。
【００２０】
セル１０２は、複数のセクタ１１２に分割されうる。セクタ１１２は、セル１０２内の物理有効通信範囲領域である。無線通信システム１００内の基地局１０４は、セル１０２の特定のセクタ１１２内の電力の流れを集中させるアンテナを利用することができる。そのようなアンテナは、指向性アンテナと称されうる。
【００２１】
図２は、無線通信システム１００内に適用されうる無線デバイス２０２で利用されるさまざまな構成要素を図示する。無線デバイス２０２は、本明細書で説明されるさまざまな方法を実施するために構成され得るデバイスの例である。無線デバイス２０２は、基地局１０４またはユーザ端末１０６でありうる。
【００２２】
無線デバイス２０２は、無線デバイス２０２の動作を制御するプロセッサ２０４を含みうる。このプロセッサ２０４は、中央制御装置（ＣＰＵ）とも称されうる。読取専用メモリ（ＲＯＭ）とランダム・アクセス・メモリ（ＲＡＭ）との両方を含むことができるメモリ２０６は、プロセッサ２０４に命令およびデータを提供する。メモリ２０６の一部は、不揮発性ランダム・アクセス・メモリ（ＮＶＲＡＭ）を含むこともできる。プロセッサ２０４は、通常、メモリ２０６に格納されたプログラム命令に基づいて、ロジック演算および算術演算を実行する。本明細書で説明される方法を実施するために、メモリ２０６内の命令を実行可能とすることができる。
【００２３】
無線デバイス２０２は、無線デバイス２０２と遠隔位置との間でのデータの送信および受信を可能にする送信機２１０および受信機２１２を含むことができるハウジング２０８をも含みうる。送信機２１０および受信機２１２を、トランシーバ２１４に組み合わせることができる。アンテナ２１６をハウジング２０８に取り付け、トランシーバ２１４に電気的に接続することができる。無線デバイス２０２は、（図示されていない）複数の送信機、複数の受信機、複数のトランシーバ、および／または複数のアンテナを含むこともできる。
【００２４】
無線デバイス２０２は、トランシーバ２１４によって受信された信号を検出し、そのレベルを定量化する目的で使用される信号検出器２１８をも含むことができる。信号検出器２１８は、合計エネルギ、擬似雑音（ＰＮ）チップ毎のパイロット・エネルギ、電力スペクトル密度、およびその他の信号のような信号を検出する。無線デバイス２０２は、信号を処理する際に使用されるデジタル信号プロセッサ（ＤＳＰ）２２０をも含むことができる。
【００２５】
無線デバイス２０２のさまざまな構成要素を、データ・バスのみならず電力バス、制御信号バス、およびステータス信号バスを含むことができるバス・システム２２２によって、ともに結合することができる。
【００２６】
図３は、ＯＦＤＭ／ＯＦＤＭＡを利用する無線通信システム１００内で使用できる送信機３０２の例を示す。送信機３０２の諸部分は、無線デバイス２０２の送信機２１０内に実装されうる。送信機３０２は、ダウンリンク１０８でのユーザ端末１０６へのデータ３０６の伝送のために、基地局１０４内に実装されうる。送信機３０２は、アップリンク１１０での基地局１０４へのデータ３０６の伝送のために、ユーザ端末１０６内に実装されうる。
【００２７】
送信されるデータ３０６は、シリアル・パラレル（Ｓ／Ｐ）コンバータ３０８に入力として提供されるものとして図示されている。Ｓ／Ｐコンバータ３０８は、この送信データをＮ個の並列データ・ストリーム３１０に分割することができる。
【００２８】
Ｎ個の並列データ・ストリーム３１０は次に、マッパ３１２に入力として提供されうる。マッパ３１２は、Ｎ個の並列データ・ストリーム３１０をＮ個のコンステレーション・ポイントにマッピングすることができる。このマッピングは、バイナリ・フェーズ・シフト・キーイング（ＢＰＳＫ）、直交フェーズ・シフト・キーイング（ＱＰＳＫ）、８フェーズ・シフト・キーイング（８ＰＳＫ）、直交振幅変調（ＱＡＭ）等のようなある変調コンステレーションを使用して行うことができる。したがって、マッパ３１２は、Ｎ個の並列シンボル・ストリーム３１６を出力することができ、各シンボル・ストリーム３１６は、逆高速フーリエ変換（ＩＦＦＴ）３２０のＮ個の直交サブキャリアのうちの１つに対応する。これらＮ個の並列シンボル・ストリーム３１６は、周波数領域で表され、ＩＦＦＴ構成要素３２０によってＮ個の並列時間領域サンプル・ストリーム３１８に変換され得る。
【００２９】
命名法に関する短い注釈を以下に示す。周波数領域のＮ個の並列変調は、周波数領域のＮ個の変調シンボルと等しく、これは、周波数領域のＮ個のマッピングおよびＮポイントＩＦＦＴと等しく、これは、時間領域の１つの（有用な）ＯＦＤＭシンボルと等しく、これは、時間領域のＮ個のサンプルと等しい。時間領域の１つのＯＦＤＭシンボルＮｓは、Ｎｃｐ（ＯＦＤＭシンボルあたりのガード・サンプルの個数）＋Ｎ（ＯＦＤＭシンボルあたりの有用なサンプルの個数）と等しい。
【００３０】
Ｎ個の並列時間領域サンプル・ストリーム３１８は、パラレル・シリアル（Ｐ／Ｓ）コンバータ３２４によってＯＦＤＭ／ＯＦＤＭＡシンボル・ストリーム３２２に変換されうる。ガード挿入構成要素３２６は、ＯＦＤＭ／ＯＦＤＭＡシンボル・ストリーム３２２内の連続するＯＦＤＭ／ＯＦＤＭＡシンボルの間にガード・インタバルを挿入することができる。次に、ガード挿入構成要素３２６の出力が、ラジオ周波数（ＲＦ）フロント・エンド３２８によって所望の送信周波数帯域にアップコンバートされうる。そして、その結果得られた信号３３２を、アンテナ３３０が送信することができる。
【００３１】
図３には、ＯＦＤＭ／ＯＦＤＭＡを利用する無線デバイス２０２内で使用される受信機３０４の例も示されている。受信機３０４の諸部分は、無線デバイス２０２の受信機２１２内に実装されうる。受信機３０４は、データ３０６をダウンリンク１０８で基地局１０４から受信するためにユーザ端末１０６内に実装されうる。受信機３０４は、データ３０６をアップリンク１１０でユーザ端末１０６から受信するために基地局１０４内に実装されうる。
【００３２】
送信された信号３３２は、無線チャネル３３４を介して移動することが図示されている。信号３３２’がアンテナ３３０’によって受信された場合、受信された信号３３２’は、ＲＦフロント・エンド３２８’によってベースバンド信号にダウンコンバートされうる。次に、ガード除去構成要素３２６’が、ガード挿入構成要素３２６によってＯＦＤＭ／ＯＦＤＭＡシンボルの間に挿入されたガード・インタバルを除去することができる。
【００３３】
ガード除去構成要素３２６’の出力は、Ｓ／Ｐコンバータ３２４’に提供されうる。Ｓ／Ｐコンバータ３２４’は、ＯＦＤＭ／ＯＦＤＭＡシンボル・ストリーム３２２’を、それぞれがＮ個の直交サブキャリアのうちの１つに対応するＮ個の並列時間領域シンボル・ストリーム３１８’に分割することができる。高速フーリエ変換（ＦＦＴ）構成要素３２０’は、Ｎ個の並列時間領域シンボル・ストリーム３１８’を周波数領域に変換し、Ｎ個の並列周波数領域シンボル・ストリーム３１６’を出力することができる。
【００３４】
デマッパ３１２’は、マッパ３１２によって実行されたシンボル・マッピング動作の逆を実行し、これによってＮ個の並列データ・ストリーム３１０’を出力することができる。Ｐ／Ｓコンバータ３０８’は、Ｎ個の並列データ・ストリーム３１０’を単一のデータ・ストリーム３０６’に結合することができる。理想的には、このデータ・ストリーム３０６’は、送信機３０２に入力として提供されたデータ３０６に対応する。要素３０８’，３１０’，３１２’，３１６’，３２０’，３１８’，および３２４’はすべて、ベースバンド・プロセッサ内で見つけられる。
【００３５】
（典型的なＯＦＤＭ／ＯＦＤＭＡフレーム）  
図４Ａを参照して、時分割デュプレクス（ＴＤＤ）実施のためのＯＦＤＭ／ＯＦＤＭＡフレーム４００が、限定ではなく、一般的な例として図示されている。例えばフル・デュプレクスおよびハーフ・デュプレクスの周波数分割デュプレクス（ＦＤＤ）のようなＯＦＤＭ／ＯＦＤＭＡフレームの他の実施も使用されうる。この場合、フレームは、ダウンリンク（ＤＬ）メッセージとアップリンク（ＵＬ）メッセージとの両方が、異なるキャリアによって同時に送信されるという点を除いて同じである。ＴＤＤ実施では、おのおののフレームは、ＤＬ送信とＵＬ送信との衝突を回避するために、小さなガード・インタバル４０６によって分離される、さらに詳しくは、送信／受信ギャップおよび受信／送信ギャップ（ＴＴＧおよびＲＴＧ）によって分離される、ＤＬサブフレーム４０２とＵＬサブフレーム４０４とに分割される。ＤＬ対ＵＬのサブフレーム比は、異なるトラフィック・プロファイルをサポートするために、３：１から１：１へ変動しうる。
【００３６】
ＯＦＤＭ／ＯＦＤＭＡフレーム４００内には、さまざまな制御情報が含まれうる。例えば、フレーム４００の最初のＯＦＤＭ／ＯＦＤＭＡシンボルは、同期のために使用されるいくつかのパイロット信号（パイロット）を含みうるプリアンブル４０８でありうる。プリアンブル４０８内の固定されたパイロット・シーケンスによって、受信機３０４は、周波数誤りおよび位相誤りを推定し、送信機３０２に同期できるようになる。さらに、無線チャネルの推定および等値化のために、プリアンブル４０８内の固定パイロット・シーケンスが利用されうる。プリアンブル４０８は、ＢＰＳＫ変調されたキャリアを含む。これは、一般には、１つのＯＦＤＭシンボルの長さである。プリアンブル４０８のキャリアは、電力が高められており、ＷｉＭＡＸ信号におけるデータ部の周波数領域における電力レベルよりも一般に数デシベル（ｄＢ）（例えば、９ｄＢ）高い。使用されるプリアンブル・キャリアの番号は、ゾーンの３つのセグメントのうちのいずれが使用されているかを示すことができる。例えば、キャリア０，３，６，・・・は、セグメント１が使用されるべきであり、キャリア２，５，８，・・・は、セグメント２が使用されるべきであることを示しうる。
【００３７】
フレーム制御ヘッダ（ＦＣＨ）４１０が、プリアンブル４０８に続く。ＦＣＨ４１０は、例えば利用可能なサブチャネル、変調および符号化スキーム、ならびに、現在のＯＦＤＭ／ＯＦＤＭＡフレームのＭＡＰメッセージ長さのようなフレーム設定情報を提供する。例えば、ダウンリンク・フレーム・プレフィクス（ＤＬＦＰ）４１２のように、フレーム設定情報を概説するデータ構成が、ＦＣＨ４１０にマップされる。
【００３８】
図４Ｂに例示するように、モバイルＷｉＭＡＸのＤＬＦＰ４１２は、ＤＬＦＰ４１２内の合計２４ビットについて、使用されたサブチャネル（ＳＣＨ）ビットマップのための６ビット４１２ａと、０に設定された予約１ビット４１２ｂと、反復符号化インジケーションのための２ビット４１２ｃと、符号化インジケーションのための３ビット４１２ｄと、ＭＡＰメッセージ長さのための８ビット４１２ｅと、０に設定された予約４ビット４１２ｆとを備える。ＦＣＨ４１０にマップされる前に、２４ビットのＤＬＦＰが複製されて、４８ビット・ブロックを形成する。これは、最小のフォワード誤り訂正（ＦＥＣ）ブロック・サイズである。
【００３９】
ＦＣＨ４１０、ＤＬ−ＭＡＰ４１４、およびＵＬ−ＭＡＰ４１６の後に、ＤＬサブフレーム４０２およびＵＬサブフレーム４０４のデータ・バースト割当およびその他の制御情報を指定することができる。ＯＦＤＭＡの場合、複数のユーザに、フレーム内にデータ領域が割り当てられる。そして、これらの割当は、ＤＬ−ＭＡＰメッセージ４１４およびＵＬ−ＭＡＰメッセージ４１６において指定される。これらＭＡＰメッセージは、特定のリンクにおいて使用される変調および符号化スキームを規定する、おのおのユーザのバースト・プロファイルを含む。ＭＡＰメッセージは、すべてのユーザに届く必要のある重要な情報を含んでいるので、ＤＬ−ＭＡＰメッセージ４１４およびＵＬ−ＭＡＰメッセージ４１６は、しばしば、１／２符号化および反復符号化を用いたＢＰＳＫまたはＱＰＳＫのような、非常に信頼性の高いリンクによって送信される。ＯＦＤＭ／ＯＦＤＭＡフレームのＤＬサブフレーム４０２は、通信されているダウンリンク・データを含む、さまざまな長さからなるＤＬバーストを含みうる。したがって、ＤＬ−ＭＡＰ４１４は、ダウンリンク・ゾーンに含まれるバーストの位置と、ダウンリンク・バーストの数のみならず、時間（すなわち、シンボル）方向および周波数（すなわち、サブチャネル）方向の両方におけるオフセットおよび長さを記述することができる。
【００４０】
同様に、ＵＬサブフレーム４０４は、通信されるアップリンク・データから構成されるさまざまなビット長さからなるＵＬバーストを含みうる。したがって、ダウンリンク・サブフレーム４０２における最初のバーストとして送信されるＵＬ−ＭＡＰ４１６は、異なるユーザのためのＵＬバーストの位置に関する情報を含みうる。ＵＬサブフレーム４０４は、図４Ａに例示するような追加の制御情報を含みうる。ＵＬサブフレーム４０４は、ＤＬハイブリッド自動反復要求アクノレッジ（ＨＡＲＱ  ＡＣＫ）をフィードバックするために移動局（ＭＳ）に割り当てられたＵＬ  ＡＣＫ４１８、および／または、チャネル品質インジケータ・チャネル（ＣＱＩＣＨ）にチャネル状態情報をフィードバックするためにＭＳに割り当てられたＵＬ  ＣＱＩＣＨ４２０を含む。さらに、ＵＬサブフレーム４０４は、ＵＬ  Ｒａｎｇｉｎｇサブチャネル４２２を備えうる。ＵＬ  Ｒａｎｇｉｎｇサブチャネル４２２は、帯域幅要求のみならず、閉ループ時間、周波数、および電力調節を行なうためにＭＳに割り当てられる。要するに、プリアンブル４０８、ＦＣＨ４１０、ＤＬ−ＭＡＰ４１４、およびＵＬ−ＭＡＰ４１６は、受信機３０４が受信信号を正しく復調することを可能にする情報を伝送しうる。
【００４１】
ＯＦＤＭＡの場合、ＤＬおよびＵＬにおける送信のために、異なる「モード」が使用されうる。あるモードが使用される時間領域のエリアは、一般にゾーンと称される。１つのタイプのゾーンは、ＤＬ−ＰＵＳＣ（ｄｏｗｎｌｉｎｋ  ｐａｒｔｉａｌ  ｕｓａｇｅ  ｏｆ  ｓｕｂｃｈａｎｎｅｌｓ）と称され、利用可能なすべてのサブチャネルを使用する訳ではない（すなわち、ＤＬ−ＰＵＳＣゾーンは、サブチャネルの特定のグループしか使用しない）。最大３つのセグメントに割り当てられうる合計６つのサブチャネル・グループが存在しうる。したがって、セグメントは、１から６までのサブチャネル・グループを含みうる（例えば、セグメント０が、最初の２つのサブチャネル・グループを含み、セグメント１が、次の２つのサブチャネル・グループを含み、セグメント２が、最後の２つのサブチャネル・グループを含みうる）。別のタイプのゾーンは、ＤＬ−ＦＵＳＣ（ｄｏｗｎｌｉｎｋ  ｆｕｌｌ  ｕｓａｇｅ  ｏｆ  ｓｕｂｃｈａｎｎｅｌｓ）と呼ばれる。ＤＬ−ＰＵＳＣとは異なり、ＤＬ−ＦＵＳＣは、セグメントを使用しないが、十分な周波数範囲にわたってすべてのバーストを分散させうる。
【００４２】
（無線通信ネットワークにおける典型的なオーバヘッド低減）  
無線通信システム／ネットワークでは、ＢＳによってユーザ端末へ送信された制御情報は、ＯＦＤＭ／ＯＦＤＭＡフレーム４００のうちの大部分、すなわち、システム帯域幅の多くを占める。これは、システム・スループット全体に影響を与える。例えば、モバイルＷｉＭＡＸシステムでは、ユーザ端末１０６に対して、ＤＬデータ・バーストおよびＵＬ送信機会を通知するために、例えばＤＬ−ＭＡＰ４１４およびＵＬ−ＭＡＰ４１６のような制御情報がブロードキャストされる。これら制御情報は、いくつかのＯＦＤＭ／ＯＦＤＭＡスロットを占有するので、高オーバヘッドになる。例として、３からなる周波数再使用係数を適用するあるシステムでは、制御情報は、ＯＦＤＭ／ＯＦＤＭＡフレームのうちの最大６０％を占有する。さらに、低い周波数再使用係数（例えば、１）を適用する従来システムは、一般に、すべてのユーザ端末に対して信頼性の高い配信（例えば、１％誤り率）を保証するために、制御情報のために、例えばＱＰＳＫ１／２のような低データ・レートで高反復スキームおよび変調／符号化スキームを使用する必要があった。その結果生じるオーバヘッドは、システム・スループットを著しく低下させうる。
【００４３】
あるユーザ端末のために、モバイルＷｉＭＡＸシステムにおけるスループットを増加させるために、適切な反復係数（すなわち、反復回数）や、いくつかの実施形態では、適切な変調／符号化スキームが、ユーザ端末ベースで、制御情報のために選択されうる。例えば、この選択は、さまざまなユーザ端末に関連付けられた異なるチャネル条件に基づきうる。
【００４４】
図５は、本開示のある実施形態にしたがって、無線セルの有効通信範囲領域における１または複数のユーザ端末１０６へ送信されるＤＬ−ＭＡＰオーバヘッドを低減するための動作例５００を示す。これらの動作５００は、ＢＳ１０４によって実行されうる。これらの動作５００はまた、他のタイプの制御情報（例えば、ＵＬ−ＭＡＰ）によって引き起こされるオーバヘッドを低減するためにも利用される。
【００４５】
５０２では、ＢＳが、有効通信範囲領域内のさまざまなユーザ端末のチャネル条件を判定する。ユーザ端末のチャネル条件は、例えば、ユーザ端末から受信したパイロット信号の強度を測定することによって判定される。したがって、ＢＳは、さほど好ましくないチャネル条件（例えば、低い信号強度、高い干渉、高い雑音、あるいは低いＳＩＮＲ）を持つユーザ端末を識別し、これら端末を、より好ましいチャネル条件（例えば、高い信号強度、低い干渉、低い雑音、あるいは高いＳＩＮＲ）を持つユーザ端末と分けて別にグループ化する。
【００４６】
特定のユーザ端末のチャネル条件がさほど好ましくないか／より好ましいかを判定するため、および、それにしたがってユーザ端末をグループ化するために、適切なさまざまな技術のうちの何れかが適用されうる。例えば、しきい値よりも低い信号強度を持つユーザ端末は、さほど好ましくないチャネル条件を有するものとして識別され、他のユーザ端末とは別にグループ化される。このグループ化はまた、測定された信号強度にしたがっておのおののユーザ端末をランク付けし、その後、ユーザ端末の番号に基づいて、最大の信号強度を持つユーザ端末のフラクションを、残りのユーザ端末から分けてグループ化することによっても実行されうる。チャネル条件に基づいてユーザ端末をグループ化する例は、以下に、より詳細に記載される。
【００４７】
５０４では、ＢＳは、さほど好ましくないチャネル条件を持つユーザ端末のための情報を、例えばＯＦＤＭ／ＯＦＤＭＡフレーム４００のような第１のフレームに、高ＤＬ−ＭＡＰ反復でスケジュールしうる。ＤＬ−ＭＡＰ４１４のために高い反復を適用することによって、さほど好ましくないチャネル条件を持つユーザ端末によるＤＬ−ＭＡＰ受信の信頼性を高めることができる。ある実施形態の場合、ＯＦＤＭ／ＯＦＤＭＡフレームに高いＤＬ−ＭＡＰ反復を適用することに加えて、あるいは、その代わりに、例えば、１／２の符号化レートを持つＱＰＳＫのような低レート変調／符号化スキーム（ＭＣＳ）が、ＤＬ−ＭＡＰ情報の変調および符号化のために利用されうる。高ＤＬ−ＭＡＰ反復に加えて、低データ・レートの変調／符号化スキームを利用することによって、ユーザ端末がＤＬ−ＭＡＰを正しく受信する可能性をさらに高めることができる。いくつかの実施形態の場合、ＭＣＳおよび／または反復係数の選択は、このシステムの目標ビット／変調誤り率（ＢＥＲ／ＭＥＲ）にも基づきうる。
【００４８】
５０６では、ＢＳは、より好ましいチャネル条件を持つユーザ端末のための情報を、例えばＯＦＤＭ／ＯＦＤＭＡフレーム４００のような第２のフレームに、低ＤＬ−ＭＡＰ反復でスケジュールしうる。例えば、ＢＳ近傍のように、より強い信号強度からの利益を得る、より好ましいチャネル条件のユーザ端末は、送信された信号を正しく受信する可能性がより高い。したがって、低いＤＬ−ＭＡＰ反復あるいは反復がなくても（つまり、フレーム内で反復することなく、一度しか送信されなくても）、信頼できるＤＬ−ＭＡＰ配信に十分でありうる。低いＤＬ−ＭＡＰ反復あるいはＤＬ−ＭＡＰ反復がないことの利点は、ＤＬ−ＭＡＰによるオーバヘッドが低減されることである。ＤＬ−ＭＡＰオーバヘッドは、より高いデータ・レートのＭＣＳを用いることによってさらに低減されうる。
【００４９】
５０８では、ＢＳが、第１のフレームおよび第２のフレームを送信する。各フレームで使用されるＤＬ−ＭＡＰ反復は、ＦＣＨ４１０のＤＬＦＰ４１２における反復符号化インジケーション４１２ｃによってユーザ端末へ指定される。
【００５０】
これら動作５００によって、ＢＳと通信しているすべてのユーザ端末のための制御情報が、すべてのフレームにおいて配信される必要はなくなる。ユーザ端末のチャネル条件を判定し、それにしたがって反復係数および／またはＭＣＳを選択することによって、ＢＳは、前述したように、ユーザ端末へ、低減された量の制御情報によって、より好ましい制御条件で、フレームを送信することができる。その結果、さほど好ましくないチャネル条件を持つユーザ端末へ送信されたフレームにおけるオーバヘッドが高いにも関わらず、ユーザ端末へ送信される平均オーバヘッドが減少する。したがって、制御オーバヘッドが低減されたフレームにおけるデータ・バーストのために、より多くのフレーム・リソースが利用可能となる。これは、システム・スループットの増加をもたらす。
【００５１】
図６は、チャネル条件に基づいてユーザ端末をグループ化する例を示す。セクタ１１２内の、あるいはセル１０２全体にわたるユーザ端末１０６は、ユーザ端末から受信したパイロット信号強度値のようなパラメータによって決定されたチャネル条件にしたがってグループ化される。例として、あるセクタ１１２におけるユーザ端末１０６は、図６に例示するように、２つのグループＧ１、Ｇ２に分けられる。グループＧ１は、より好ましいチャネル条件（例えば、より高い信号強度）を持つ、例えばＢＳ１０４近傍のユーザ端末を含む。一方、グループＧ２は、さほど好ましくない条件（例えば、より低い信号強度）を持つ、例えば有効通信範囲領域の端部近傍のユーザ端末を含む。そしてＢＳ１０４が、フレーム内の制御情報をスケジュールし、前述したように、チャネル条件に基づいて、これらフレームを、特定のグループのユーザ端末へ送信する。
【００５２】
本開示のある実施形態の場合、送信のためにフレームをスケジュールすることは、より好ましいチャネル条件を持つユーザ端末へ向けられたフレームが、より頻繁に送信されるように実行される。このアプローチの利点は、ユーザ端末へ送信される平均オーバヘッドがさらに低減され、その結果、システム・スループットがより高くなることである。図７は、さほど好ましくないチャネル条件を持つユーザ端末の情報が、４つのＯＦＤＭ／ＯＦＤＭＡフレーム毎に一度スケジュールされる一方、より好ましいチャネル条件を持つユーザ端末の情報が、残りの３つのフレームでスケジュールされる例４００を示す。
【００５３】
したがって、例えば、図６のグループＧ２におけるようなユーザ端末ための制御情報が、フレームＦ１でスケジュールされる一方、グループＧ１におけるようなユーザ端末のための情報が、フレームＦ２，Ｆ３，Ｆ４でスケジュールされる。さほど好ましくないチャネル条件を持つユーザ端末のための制御情報が、第１のフレームでスケジュールされる必要は無く、４つのフレームのうちの何れか１つでスケジュールされうる。さらに、さほど好ましくないチャネル条件を持つユーザ端末のための制御情報が、４よりも多いあるいは少ないフレームのうちの１つとして送信されうる。
【００５４】
前述したように、特定のフレームに対応する反復係数が、フレームの反復符号化インジケーション４１２ｃで示されうる。図７に例示するように、フレームＦ１の反復符号化インジケーション４１２ｃは、２の値を持つ２ビット値を含む。これは、図４Ｂにしたがって、４の値を持つ合計ＤＬ−ＭＡＰ反復（すなわち、１つのオリジナルＤＬ−ＭＡＰの３回反復）を示す。一方、フレームＦ２，Ｆ３，Ｆ４は、０の値を持つ２ビット値を含むこれらフレームの反復符号化インジケーション４１２ｃによって示されるように、ＤＬ−ＭＡＰの反復を含まない（１の値を持つ合計ＤＬ−ＭＡＰ反復となる）。したがって、ユーザ端末へ送信される制御情報のための適切な反復係数および／または変調／符号化スキームを選択することによって、ユーザ端末へ送信されるオーバヘッドが低減され、これによって、システム・スループットが向上する。
【００５５】
本開示のオーバヘッド低減技術の他の利点は、これら技術が、低い周波数再使用係数（例えば、１のように、３である再使用係数とは異なる値）を適用している無線通信システムにおける使用に適切であることである。そのような低い周波数再使用係数を適用しているシステムは、より効率的なシステム帯域幅利用を可能にする。例として、フレームにおいてデータ・バーストをスケジュールする、１の周波数係数を持つＢＳスケジューラは、フレーム内のあるセグメントに限定されない。その結果、フレームの利用度が高まる。
【００５６】
しかしながら、そのようなシステムでは、ユーザ端末は、サービス提供ＢＳからの信号を受信することのみならず、近隣ＢＳからの信号をも受信する傾向がより高まる。このような相互チャネル干渉（ＣＣＩ：co-channel interference）は、サービス提供ＢＳの有効通信範囲領域の端部におけるユーザ端末に、より悪影響を与えるようになるであろう。本開示のある実施形態によれば、有効通信範囲の端部におけるユーザ端末へ送信されるフレームは、前述したように、制御情報のために、低いデータ・レートで、ＭＣＳおよび／または高反復を利用することができる。その結果、これらユーザ端末における受信が改善し、ＣＣＩの効果が低減される。これによって、１である周波数再使用係数の使用が可能となる。
【００５７】
前述された方法のさまざまな動作は、図面に例示されるようなｍｅａｎｓ−ｐｌｕｓ−ｆｕｎｃｉｔｏｎブロックに対応するさまざまなハードウェアおよび／またはソフトウェア構成要素（単数または複数）および／またはモジュール（単数または複数）によって実行されうる。一般に、対応するｍｅａｎｓ−ｐｌｕｓ−ｆｕｎｃｉｔｏｎ図面を有する図面に例示された方法が存在する場合、動作ブロックは、同一番号が付されたｍｅａｎｓ−ｐｌｕｓ−ｆｕｎｃｉｔｏｎブロックに対応する。例えば、図５に例示するようなブロック５０２乃至５０８は、図５Ａに例示するようなｍｅａｎｓ−ｐｌｕｓ−ｆｕｎｃｉｔｏｎブロック５０２Ａ乃至５０８Ａに対応する。
【００５８】
本明細書で使用される場合、用語「判定すること（ｄｅｔｅｒｍｉｎｉｎｇ）」は、さまざまな動作を含む。例えば、「判定すること」は、計算、コンピューティング、処理、導出、調査、ルックアップ（例えば、テーブル、データベース、または他のデータ構造内のルックアップ）、確認等を含むことができる。また、「判定すること」は、受信（例えば、情報の受信）、アクセス（例えば、メモリ内のデータへのアクセス）等を含むことができる。また、「判定すること」は、解決、選択、選定、確立等を含むことができる。
【００５９】
情報および信号を、さまざまな異なる技術および技法のいずれかを使用して表すことができる。例えば、上記説明全体を通じて称されうるデータ、命令、コマンド、情報、信号等を、電圧、電流、電磁波、磁場または磁性粒子、光場または光粒子、あるいはその任意の組合せによって表すことができる。
【００６０】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロプロセッサとすることができるが、代替案では、プロセッサを、任意の市販のプロセッサ、コントローラ、マイクロコントローラ、または順序回路とすることができる。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成である計算デバイスの組み合わせとして実現することも可能である。
【００６１】
本開示に関連して説明された方法またはアルゴリズムのステップを、ハードウェアで直接的に、１または複数のプロセッサによって実行されるソフトウェア・モジュールによって、またはこの２つの組合せによって実施することができる。ソフトウェア・モジュールは、当該技術分野において周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００６２】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００６３】
説明された機能を、ハードウェア、ソフトウェア、ファームウェア、またはその任意の組合せで実施することができる。ソフトウェアで実現される場合、これら機能は、コンピュータ読取可能媒体に、１または複数の命令群として格納される。記憶媒体は、コンピュータによってアクセスされうる利用可能な任意の媒体である。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。ディスク（ｄｉｓｋおよびｄｉｓｃ）は、本明細書で使用される場合、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含み、ｄｉｓｋは、通常は磁気的にデータを再生し、ｄｉｓｃは、レーザを用いて光学的にデータを再生する。
【００６４】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００６５】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００６６】
特許請求の範囲は、前述した正確な構成および構成要素に限定されないことを理解されたい。さまざまな修正、変更、および変形を、特許請求の範囲の範囲から逸脱せずに、前述した方法および装置の構成、動作、および詳細において実施することができる。
【図１】
2011525784.tif 000003
【図２】
2011525784.tif 000004
【図３】
2011525784.tif 000005
【図４Ａ】
2011525784.tif 000006
【図４Ｂ】
2011525784.tif 000007
【図５】
2011525784.tif 000008
【図５Ａ】
2011525784.tif 000009
【図６】
2011525784.tif 000010
【図７】
2011525784.tif 000011
【国際調査報告】
2011525784.tif 000012
2011525784.tif 000013
2011525784.tif 000014